(57)【要約】【課題】  印刷ユニット（１）の版交換にかかる一連の作業において、印刷ユニット（１）に設置されたガイドバー（２）や押えローラー（３ａ）と、版（６）の画像形成面とが接触し摩擦することによる画像形成面の損傷を軽減する。【解決手段】  印刷ユニット（１）の外面に凸設された支持部材（４）と、前記支持部材（４）に端部側を支持されたガイドバー（２）を有する版ガイドにおいて、前記ガイドバー（２）は疎油性の版保護部材（３）を備えたことを特徴とする版ガイド。【選択図】    図４
2009166431.tif 000002
【特許請求の範囲】
【請求項１】
版挿入口を設けた印刷ユニットと、前記印刷ユニットの外面に凸設された支持部材と、前記支持部材に端部側を支持され前記版挿入口に平行なガイドバーを有し、前記ガイドバーと前記印刷ユニットの外面との間で版を案内する版ガイドにおいて、前記ガイドバーは疎油性の版保護部材を備えたことを特徴とする版ガイド。
【請求項２】
前記版保護部材は、前記ガイドバーの中心軸回りに回転させるための版保護部材回転機構を、前記ガイドバーと前記保護部材の間に設けていることを特徴とする請求項１に記載の版ガイド。
【請求項３】
前記ガイドバーは、該ガイドバーの中心軸回りに回転させるためのガイドバー回転機構を、前記ガイドバーの端部側と前記支持部材との間に設けていることを特徴とする請求項１または２に記載の版ガイド。
【請求項４】
前記ガイドバーは、片方の端部側のみで前記支持部材により片持ち支持されていることを特徴とする請求項１から３のいずれか一項に記載の版ガイド。
【請求項５】
前記ガイドバーは、支持されている片方の端部側を中心に旋回するための旋回支持機構を介して前記支持部材に支持されていることを特徴とした請求項１から４のいずれか一項に記載の版ガイド。
【請求項６】
前記ガイドバーは、同一軸線上に左右一対に対向配置され、それぞれが外側の端部側を支持部材により片持ち支持されていることを特徴とした請求項１から５のいずれか一項に記載の版ガイド。
【請求項７】
前記ガイドバーは、同一軸線上に左右一対に対向配置され、それぞれが外側の端部側を支持部材により片持ち支持され、少なくとも一方の前記ガイドバーが支持されている片方の端部側を中心に旋回するための旋回支持機構を介して前記支持部材により片持ち支持されていることを特徴とした請求項１から４のいずれか一項に記載の版ガイド。
【請求項８】
前記ガイドバーは、前記ガイドバーを両端支持する支点の片側の前記支持部材が開動することにより、前記ガイドバーの片方の端部側を支持端から自由端に開放する開放機構を備えていることを特徴とした請求項１から４のいずれか一項に記載の版ガイド
【請求項９】
前記支持部材は、前記ガイドバーを着脱するための挿入部と載置溝部とから成る
ガイドバー着脱機構を備えていることを特徴とした請求項１から３のいずれか一項に記載の前記版ガイド。
【請求項１０】
前記ガイドバーは、前記支持部材に支持された前記ガイドバー全体を前記支持部材から自在に着脱するガイドバー伸縮手段を備えていることを特徴とした請求項１から３のいずれか一項に記載の前記版ガイド。
【請求項１１】
版挿入口を設けた印刷ユニットと前記印刷ユニットの外面に凸設された支持部材と前記支持部材に端部側を支持され前記版挿入口に平行なガイドバーを有し前記ガイドバーと前記ユニットの外面との間で版を案内する版ガイドにおいて、疎油性の版保護部材を取り付けた回転体と、回転体を軸支する構造体と、前記ガイドバーへの着脱自在な取り付け手段を構造体に設けた版支持体により版を支持することを特徴とする前記版ガイド。
【請求項１２】
請求項1〜１１のいずれか一項に記載の版ガイドと、印刷ユニット内にある版胴と、版胴に設けられた版万力へ版を移動する版保持器と、版胴に版を密着させる押えローラーとを有する印刷機において、前記押えローラーは表面に疎油性の版保護部材を有することを特徴とする印刷機。
【発明の詳細な説明】
【技術分野】
【０００１】
本発明は、印刷機に版を給版するとき版を支持する当該版ガイドを備えた印刷機に関するものである。
【背景技術】
【０００２】
印刷ユニット内の版胴に版を装着する版ガイドは、例えば特許第４０４４３５９号に開示されたものがある。ここに開示されたものは、印刷ユニットの外面に設けられた支持部材で両端を支持され上下平行に所定間隔に設置された２本のガイドバーと、印刷ユニットの外面下部に設けられた版の位置決めピンと、版の咥え側を吸着して印刷ユニット内の版胴へ版を給版する給版ユニットと、版胴に版を密着させる押えローラーと、版胴の版万力装置を備えている。
版はオペレーターにより画像形成面をガイドバー側に向けて、上段のガイドバーと印刷ユニットの外面との間へ上方から下方へ向かって挿入される。挿入された版は下部となる咥え側に設けられた凹部と位置決めピンとが係合し、版が位置決めされる。位置決めされた版は、給版ユニットに吸着し印刷ユニット内の版胴に移動し版万力装置に咥えられる。咥えられた版は画像形成面を表面とし、押えローラーで版胴に押さえつけられながら回転する版胴に密着し版の尻側を固定される。
【特許文献１】特開２００３−３０５８２５号公報
【発明の開示】
【発明が解決しようとする課題】
【０００３】
前記のような構成の版ガイドにおいて、印刷ユニットの外面に設けられたガイドバーにより版を支持する場合、つぎのような問題があった。版交換装置による版交換の際に、版はガイドバーに対し画像形成面側が接するようにセットされるため、オペレーターが版を版交換装置へセットする動作や、版交換装置が作動し版が版胴へと引き込まれる一連の動作中に、前記ガイドバーや押えローラーと画像形成面が接触し、磨耗により、画像形成面を損傷することがあった。
【０００４】
従来、オペレーターが版ガイドへ版をセットするには、オペレーターは手前を版の画像形成面側にして上端となる版の尻側をつかみ、２段あるガイドバーの上段と印刷ユニットの外面との間に上方から版の下端となる咥え側を挿入する。版が菊全サイズのような大判の場合に、オペレーターは、版の尻側をつかんだ手を上方へ伸ばして上段のガイドバーに版の咥え側が接しないように姿勢を伸ばし、挿入しながらガイドバーと版の画像形成面が接触することをできる限り避けなければならない。しかし、オペレーターが不自然な姿勢をとるために、ガイドバーと版の画像形成面とを接触させ、版を傷つけてしまうことがあった。
【０００５】
また、印刷時のインキミストが金属製の前記ガイドバーの表面に付着し、長期間の使用によりインキミストが固化するとともに、ガイドバーの平滑性も損なわれ、版の画像形成面が汚れたり、損傷したりすることもあった。
【０００６】
本発明の目的は、前記従来の不具合点を改善し、版の画像形成面の損傷を軽減する版ガイドおよび印刷機を提供することにある。  
【課題を解決するための手段】
【０００７】
この目的を達成するため本発明によれば、版挿入口を有する印刷ユニットと、前記印刷ユニットの外面に設けられた支持部材と、前記支持部材に端部側を支持され前記版挿入口に平行なガイドバーを有し、前記ガイドバーと前記ユニットの外面との間で版を案内する版ガイドにおいて、前記ガイドバーは疎油性の版保護部材を備えていることを特徴とするものである。
疎油性の版保護部材は、印刷におけるインキミストや版に残ったインキ成分などの油性の物質が付着しにくいので、旧版の汚れを残すことが無いので新版を汚さず、付着し固化した汚れにより画像形成面を傷つけることも無い。
【０００８】
また、本発明による版ガイドは、前記ガイドバーの中心軸回りに前記版保護部材を回転させるための版保護部材回転機構が、前記ガイドバーと前記保護部材の間に設けられていることを特徴としている。
したがって、版保護部材回転機構を設けたことにより、前記版保護部材が軽く回転して版交換による版の動きに追従できるため、版保護部材との摩擦もほとんど生じることなく、版の画像形成面の損傷を大幅に軽減することができる。
【０００９】
また、本発明による版ガイドは、前記ガイドバーの中心軸回りに前記ガイドバーを回転させるためのガイドバー回転機構が、前記支持部材と前記ガイドバーとの間に設けられていることを特徴としている。
したがって、ガイドバー回転機構を設けたことにより前記版保護部材を備えた前記ガイドバーが軽く回転し、版交換による版の動きに追従できるため、版保護部材との摩擦を低減し、版の画像形成面の損傷をより軽減することができる。
【００１０】
また、本発明による版ガイドは、前記ガイドバーが片方の端部側のみで前記支持部材により片持ち支持されていることを特徴としている。
したがって、前記ガイドバーを片持ち支持することにより、前記ガイドバーの自由端側には前記印刷ユニットの外面と前記ガイドバーとの間に開放された隙間が形成されるので、前記隙間から前記版を横方向へ容易に挿入しセットすることができる。特に大判の版の場合には、オペレーターは版を高く持ち上げる必要も無く版を挿入することができるので版を版ガイドへセットする時に、画像形成面を不用意に手で支えて傷つけたり、版を持ち損ねて版に曲げ跡をつけたりする失敗が無くなる。
【００１１】
また、本発明による版ガイドは、前記ガイドバーが支持された片方の端部側を中心に旋回するための旋回支持機構を介して、前記支持部材に支持されていることを特徴としている。
したがって、前記ガイドバーの片方の端部側が旋回支持機構を有することにより、オペレーターは前記ガイドバーを開いて印刷ユニットの正面から楽な姿勢で前記版を挿入しセットすることができるので、画像形成面の損傷をより防ぐことができる。
【００１２】
また、本発明による版ガイドは、前記ガイドバーを同一軸線上に左右一対に対向配置され、左右のガイドバーの中央間には空間をあけるとともに、左右それぞれの外側の端部側のみを支持部材により片持ち支持されていることを特徴としている。
したがって、1本のガイドバーが中央で途切れたような構成となり、この途切れた空間を通してオペレーターは前記版を印刷ユニットの正面から挿入することができるので、オペレーターの姿勢が楽になり、画像形成面の損傷をより防ぐことができる。
【００１３】
また、本発明による版ガイドは、前記ガイドバーが同一軸線上に左右一対に対向配置され、左右のガイドバーの中央間には空間をあけるとともに、左右それぞれが外側の端部側のみを片持ち支持されるとともに、少なくとも一方の支持部材にはガイドバーの端部側を中心に旋回するための旋回支持機構を備えたことを特徴としている。
したがって、一対に配された前記ガイドバーの少なくとも一方を旋回することができるので、版を挿入するオペレーターの姿勢が楽になり、画像形成面の損傷をより防ぐことができる。ガイドバーの旋回方向としては上下方向または手前方向のいずれとしても良い。
【００１４】
また、本発明による版ガイドは、前記ガイドバーが構造的に両端支持状態から片持ち支持状態になるように片側の前記支持部材が開閉することにより、前記ガイドバーの片方の端部側を支持端から自由端に開放する開放機構を備えていることを特徴としている。
したがって、片方の支持部材が開閉する開放機構を備えることにより、ガイドバーの片方の端部側の支持部材を動かし開放できるので、前記ガイドバーの一端部側と前記印刷ユニットの外面との間に開放された隙間が形成され、該隙間を利用して前記版を挿入することができる。
【００１５】
また、本発明による版ガイドは、前記支持部材が前記ガイドバーを着脱するための挿入部と載置溝部とからなるガイドバー着脱機構を備えていることを特徴としている。
したがって、ガイドバー着脱機構を備えることにより、ガイドバーを設置するときは挿入部からガイドバーを挿入し、挿入部から載置溝部へスライドすることにより、ガイドバーを所定位置に保持することができる。また、ガイドバーを外すときには、挿入時とは逆の方向へスライドさせるだけで簡単に外すことができる。このように工具を用いることなくガイドバーを容易に着脱できるので、取り外して版保護部材を清掃したり、交換したりすることができ、従来の固定式に比べ長く使用できる。
【００１６】
また、本発明による版ガイドは、前記支持部材に支持された前記ガイドバー全体を前記印刷ユニットから自在に着脱するために、前記ガイドバーはガイドバー伸縮手段を備えていることを特徴としている。
したがって、前記ガイドバーを容易に取り外して版保護部材を含め清掃したり、交換したりすることができる。
【００１７】
また、本発明による版ガイドは、版挿入口を有する印刷ユニットと、前記印刷ユニットの外面に設けられた支持部材と、前記支持部材に端部側を固定支持され前記版挿入口に平行なガイドバーを有し、前記ガイドバーと前記ユニットの外面との間で版を案内する版ガイドにおいて、疎油性の材料を取り付けた回転体を軸支する構造体と前記ガイドバーへの着脱自在な取り付け手段を備えた版保護部材により版を支持することを特徴としている。
したがって、回転可能な版保護部材はガイドバーからの着脱が容易な構造としているので、前記回転体が汚れたり老朽化した場合に容易に版保護部材を外して洗浄したり交換したりすることができる。また、版保護部材の施されていない従来のタイプの印刷機に新たに版保護部材を設置することができる。
【００１８】
また、本発明による印刷機は、版ガイドと、印刷ユニット内にある版胴と、版胴に版を密着させる押えローラーと、版胴に設けられた版万力へ版を移動する版保持器を有する印刷機において、表面が疎油性の版保護部材を有する押えローラーを備えたことを特徴としている。
したがって、押えローラーの表面には疎油性の版保護部材を備えているので、押えローラーが版の画像形成面に接し回転しても、版の画像形成面を損傷したり汚したりすることがほとんどない。
【発明の効果】
【００１９】
ガイドバーや押えローラーに版保護部材を設けることにより、版を版ガイドへセットする時や印刷ユニット内へ版が引き込まれるなどの印刷ユニット内への版の出し入れの一連の作業動作により発生する版の画像形成面の損傷を防ぐことができ、印刷品質を向上させ、損紙を低減することができる。
【発明を実施するための最良の形態】
【００２０】
以下、本発明の実施するための最良の形態について説明する。なお、この実施の形態によりこの発明が限定されるものではない。また、下記実施の形態における構成要素には、当業者が容易に想定できるもの、あるいは実質的に同一のものが含まれる。
【実施例】
【００２１】
図１は本発明の実施例にかかるオフセット枚葉印刷機の概略構成図、図２（ａ）は印刷機の印刷ユニットを抜き出した、本発明の版ガイドを備えた印刷ユニットの側面概略断面図、図２（ｂ）本実施例の版保護部材を備えたガイドバーの全体図、図３（ａ）は本実施例のガイドバー端部側にガイドバー回転機構を備えたガイドバーの概念図、図３（ｂ）は本実施例の版保護部材回転機構を備えたガイドバーの概念図、図４は本実施例の片持ち支持されたガイドバーを有する版ガイドを備えた印刷ユニットの斜視図、図５は本実施例の旋回するガイドバーを有する版ガイドを備えた印刷ユニットの斜視図、図６は本実施例の左右一対で片持ち支持されたガイドバーを有する版ガイドを備えた印刷ユニットの斜視図、図７は本実施例の左右一対で片持ち支持され少なくとも一方の支持部が旋回支持機構により支持されたガイドバーを有する版ガイドを備えた印刷ユニットの斜視図、図８は本実施例のガイドバーの支持部材が開放する開放機構を備えた印刷ユニットの斜視図、図９は本実施例の支持部材に設けられたガイドバー着脱機構を示す概念図、図１０は本実施例のガイドバーから着脱自在な構造を備えた版保護部材の概念図である。
【００２２】
本発明の印刷機は図１に示すように印刷色毎に印刷ユニットカバーで覆われた印刷ユニット１を複数備えている。図１では４つの印刷ユニット１を有する４色機の場合を示している。各色の印刷ユニット１の内部にはそれぞれに版胴９を有しており、印刷ユニット１には、外部から版６を版胴９へ取り込むための版挿入口５を有している。
【００２３】
第一の実施例を図２（ａ）（ｂ）に示す。図２（ａ）はひとつの印刷ユニット１を抜き出した断面の概略図である。印刷ユニット１の外面となる印刷ユニットのカバーには凸設された支持部材４が固定され、支持部材４に端部側を支持されたガイドバー２が取り付けられている。本図は上下２段の構成を示す。ガイドバー２の外周面には疎油性の版保護部材３が施されている。
【００２４】
印刷ユニット１は下段のガイドバー２の下方に版挿入口５があり、版６を支承し幅方向を位置決めする図示しない位置決めピンが版挿入口５の内側に設けられている。
【００２５】
印刷ユニット１の内部には、版挿入口５から版６を版胴９に移動するための給版装置（図示しない）がある。版胴９は版６の端部側を咥える版万力１１を有している。
版胴９の回転方向Ｑの下流側には、押えローラー１０が設置されている。押えローラー１０は、疎油性の版保護部材３ａを備えた回転体と、回転体の軸を支持する左右２個のアーム１０ａを有し、アーム１０ａにはアクチュエーター（図示しない）による揺動装置が装備されている。
【００２６】
オペレーターは本図では上端となる版６の尻側付近を両手で持ち、印刷ユニット１の上方から、ガイドバー２と印刷ユニット１の外面との間に、版６を差し込む。さらに版を降ろすと本図で下端となる版６の咥え側に設けられた凹部が、版挿入口５付近に設置された図示しない係合ピンにより係合し、幅方向の位置決めがなされる。
【００２７】
このとき版の画像形成面はガイドバー２側に向いており、版６は版保護部材３を有するガイドバー２にもたれるように支持される。画像形成面はガイドバー２の外周面に形成された版保護部材３に接するため、画像形成面の損傷は抑えられる。
【００２８】
その後はオペレーターを介さず、版６は、自動で印刷ユニット１の内部へ取り込まれる。版６は版挿入口５から版６を吸着し移動させる給版装置（図示しない）により、咥え側を吸着されて版胴９の版万力１１へ移動し、版万力１１に咥え側を咥えられる。次に、版胴９がＱ方向に回転し、版６は画像形成面側を外面にして版胴９へ巻かれる。このとき版６が版胴９に対して密着するように、押えローラー１０が版胴９の周面へ揺動し版６の画像形成面上から押圧する。押えローラー１０が版６の画像形成面と接する部分には疎油性の版保護部材３ａを有しているので、画像形成面の損傷は抑えられる。そして版胴９がＱ方向へ回転し版６の版の尻側が版万力１１へ到達すると、版の尻側が版万力１１に固定されることにより、版装着が完了する。
【００２９】
図２（ｂ）はガイドバー２と版保護部材３、および支持部材４の取り合いを表す鳥瞰図を示す。本図では、少なくとも表面が疎油性の版保護部材３となる部材をガイドバー２に直接巻着した状態を示している。版保護部材３は疎油性があり摩擦を低減できる材料、例えば、フッ素樹脂、シリコン樹脂のような材料を用いる。また、ガイドバー２自体を版保護部材３で構成しても良い。
【００３０】
版保護部材３は、図２（ｂ）の下段に示すように接触面を小さくするために幅の狭いリング状としてもよい。その場合は、版ガイドへのセット中や待機中などに版６が天地方向に撓むことにより、リング状の版保護部材３の無いガイドバー２の部分と接しないように版保護部材３は適度な間隔をとるように配置する。版の大きさにもよるが、版保護部材３は２箇所以上に設けるのが好ましい。
【００３１】
版保護部材３の形状は上記以外にも、球状や、角を滑らかにした算盤球のような形状とすることで、画像形成面との接点をより小さくしてもよい。
【００３２】
第二の実施例を図３（ａ）（ｂ）に示す。
図３（ａ）はガイドバー２が回転するように当該両端部をガイドバー回転機構４ａを介して支持部材４に支持した例である。図３（ａ）の下段の図はガイドバー２に幅の狭い版保護部材３を複数個配置した例である。この場合は、版ガイドへのセット中や待機中などに版６が撓むことにより、リング状の版保護部材３の無いガイドバー２の部分と接しないように版保護部材３は適度な間隔をとるように配置する。ガイドバー回転機構には転がり軸受を使用する。
【００３３】
ガイドバー２をガイドバー回転機構４ａを介して支持することにより、版保護部材を備えたガイドバー全体が軽く回転することができるので、摩擦を低減し版の画像形成面を保護できる。
【００３４】
図３（ｂ）は版保護部材３が版保護部材回転機構３ｂを介してガイドバー２と結合しており、版保護部材３が回転する例である。版保護部材回転機構には転がり軸受を使用している。この場合は、版ガイドへのセット中や待機中などに版６が撓むことにより、リング状の版保護部材３の無いガイドバー２の部分と接しないように版保護部材３は適度な間隔をとって複数個配置する。版の大きさにもよるが、２箇所以上に設けるのが好ましい。
【００３５】
版保護部材回転機構３ｂを備えた複数の版保護部材３は、それぞれが独立して回転可能であり、回転体の重量が軽い分、図３（ａ）の実施例に比べより軽く回転できる。
たとえば版交換の動作中に予期せず版６が僅かに傾いた状態で版胴へ引き込まれ、版挿入が失敗し、傾いたまま無理に版６が引っ張られる状態になっても、それぞれの版保護部材３が独立して軽く回転するので、版ガイド部にある版６の画像形成面と版保護部材３は摩擦を起こすことが無く、画像形成面の損傷をより抑えることができる。
【００３６】
図３（ａ）（ｂ）の構成は、版６を版胴９へ装着するときに、版６を版胴９へ密着させるために押さえつける押えローラー１０へも適用できる。この場合、支持部材４は押えローラー１０のアーム１０ａに相当する。
また、押えローラー１０は図３（ａ）と図３（ｂ）の両方を兼ね備えた構成としてもよい。この構成は、版保護部材回転機構３ｂとガイドバー回転機構４ａの両方の回転機構を有しているので、画像形成面との摩擦が無く、損傷をより抑えることができる。
【００３７】
つぎに第三の実施例を図４から図８に示す。
【００３８】
図４中、上段の例は、ガイドバー２の片端部側のみを支持した構造である。上段、下段のガイドバーには第一の実施例または第二の実施例の版保護部材３を設ける。上段のガイドバー２は、下段の長さの１．０から０．５の長さとし、支持される端部側の横方向の位置は下段の端部側の支持位置に揃え、支持部材４に支持されない端部にはキャップ状の版保護部材３ｃを設ける。
【００３９】
ガイドバー２の上段の片側が解放されているため、印刷ユニット１の外面とガイドバー２との間に隙間が形成され、オペレーターは該隙間から版６を横方向に容易に挿入しセットすることができる。さらに上段を下段よりも短くすることで、より楽な姿勢で挿入できる。開放端部は、版６の挿入時に画像形成面と接触する可能性があるので、角の無い滑らかな形状に仕上げたキャップ状の版保護部材３ｃを設けることで、接触しても画像形成面を傷つけないように加工することが望ましい。
【００４０】
このように上段の片端を開放することにより該開放部から版を挿入することができ、オペレーターが版を持つ手を高さ方向に無理に伸ばしたり、無理な持ち方をする必要がなくなるので、版を版ガイドへセットする際に、版に折り曲げ跡をつけたり、前記ガイドバーと画像形成面が接触することによる画像形成面の損傷を軽減することができる。
また、下段は高さの低い位置にあるので、上段に版６を挿入できれば問題なく下段へも挿入できるので、この場合は特に開放端にする必要は無い。
【００４１】
図５は、ガイドバー２を旋回可能な構造とした実施例であり、上段、下段には第一の実施例または第二の実施例の版保護部材３を設ける。上段のガイドバー２は図５に示すように片側の支持部材４を旋回支持機構４ｄとし、該旋回支持機構４ｄを支点に図中のＹ方向で示す上下方向および／またはＺ方向で示す前後方向に回転する機構を有する。旋回支持機構４ｄには、ユニバーサルジョイントを用いてもよいし、方向は限られるがヒンジ構造としてもよい。
旋回支持機構のある端部と反対の端部側の支持部材４には、ガイドバー２を閉じたときに支持する構造とした支持部材４ｅを設ける。また、旋回したガイドバーがその状態で位置を保持できないタイプの旋回支持構造４ｄの場合には、ガイドバー２の旋回する軌跡上に一時的にガイドバー２を支持するための支持部材４ｆを設けるとよい。
【００４２】
オペレーターは支持部材４ｅからガイドバー２を外し、Ｙ方向および／またはＺ方向にガイドバー２を旋回する。必要に応じてガイドバー２の旋回軌跡上に設置された支持部材４ｆにガイドバー２を一時的に支持させる。このとき、印刷ユニット１の前面は作業空間が狭小である場合が多く、Ｚ方向への旋回が不可能になることや、作業の邪魔になることがあるので、少なくともＹ方向に旋回する方式が好ましい。
ガイドバー２を旋回すると、印刷ユニット１の前面が大きく開かれるので、版６を正面から下段のガイドバー２へ挿入しやすくなる。挿入後はガイドバー２を支持部材４ｅへ戻し手動で行う部分の版６セットが完了する。
オペレーターは幅の大きい版を正面から楽な姿勢でセットすることができる。この場合は、上段と下段のガイドバー２の長さが同じであるため、上段が下段より短い場合と比べて版６を置いた状態では版６が手前へ倒れる量が少なく安定しやすいので、幅の大きい版を扱う印刷ユニットの場合に適する。
【００４３】
図６は、ガイドバー２が印刷ユニット１に対して左右一対の片持ち支持構造で配置した実施例である。それぞれのガイドバー２には第一の実施例または第二の実施例の版保護部材３を設ける。少なくとも上段のみを左右一対の構造とする。図中のＡは片側のガイドバーの支持部材４からガイドバー２の自由端部までの距離、Ｂは左右のガイドバーのそれぞれの自由端の間の距離、Ｃは距離Ａと距離Ｂの合計の長さ、Ｄは版６の幅を表す。このとき、ＢはＤの３分の１以上、Ｄ未満の範囲が好ましく、Ｃは少なくともＤより長くなるように調節する。開放端部にはキャップ状の版保護部材３ｃを設ける。
【００４４】
これにより、Ｂの間隙を利用して版６を挿入することができる。版の大きさにもよるが、Ｂは版幅Ｄの３分の１以上あれば、版６を速やかにセットすることができ、Ｂを版幅Ｄより小さくすることで、版６をガイドバーの左右の開放された端部のキャップ状の版保護部材３ｃで支持することができるので画像形成面を損傷から保護する。また、ガイドバーの長さを、図４の上段の短くしたガイドバー２の場合と比較し、１本あたりのガイドバーは短くなるので、支持部にかかる負担を小さくすることができる。
【００４５】
図７は、図６で示した左右一対のガイドバーの少なくとも一方を旋回できるように旋回支持機構を設けた例である。それぞれのガイドバーには第一の実施例または第二の実施例の版保護部材３を設ける。上下段の少なくとも上段を左右一対の配置とし、開放端部にはキャップ状の版保護部材３ｃを設ける。旋回支持機構については図５の実施例と同じであるためここでは説明を省略する。
【００４６】
ガイドバー２の長さが図５の場合より短いので、旋回支持機構をさらに小型にすることができ、操作性が良い。また、図６の場合と比較してガイドバー２が開くので、版挿入時に広い空間ができ版挿入が行いやすくなり、その結果、版の画像形成面の損傷を防ぐ。
このとき、図６の場合と同様にガイドバーが左右に分かれているため、ガイドバー１本あたりの重量は小さくなり、支持部材を小型化できる。また、印刷ユニット１への負担も小さくなる。さらに、ガイドバーの旋回半径が小さくなるので、空間的制約が低くなり上下Ｙ方向だけでなく、前後Ｚ方向に旋回してもよい。
【００４７】
図８は、ガイドバー２が両端を支持され、支持部材４と印刷ユニット１との結合部分にヒンジ構造を備えた開放機構４ｃを有する構成を示す。ガイドバー２には第一の実施例または第二の実施例の版保護部材３を適度に設ける。
【００４８】
開放機構４ｃを開くことで、ガイドバー２と印刷ユニット１の外面との間に隙間ができるので、横から版を入れることができる。また、通常は両端で支持する状態であるので、幅方向に長いガイドバー２であっても、正確な位置に保持することができる。
【００４９】
第四の実施例を、図９に示す。ガイドバー２が印刷ユニット１から自在に着脱できるように支持部材４にガイドバー着脱機構４ｂを設ける。ガイドバー着脱機構４ｂは、ガイドバー２を着脱するための挿入部となる開口を支持部材４の上面に設けたものである。ガイドバー２を奥まで挿入した位置が載置溝部となる。ガイドバー２には第一の実施例または第二の実施例の版保護部材３を設ける。さらにガイドバー着脱機構４ｂには横ずれ防止のためのストッパー２ａを設ける。
【００５０】
このような構造とすることにより、ガイドバー２は工具等を一切用いずに容易に取り外して版保護部材を含め清掃したり、交換したりすることができる。また、ガイドバー２は支持部材にはめ込んでいるだけの構造でありガイドバーの回転を拘束しないので版６との摩擦をより低減できる。なお、図９では挿入部を上方に設けたものを示すが、これに限定されるものではなく側方に設けたものや、着脱できる大きさの長孔等であってもよい。
【００５１】
また、ガイドバー２自体の着脱構造としては、ガイドバー２を伸縮させる構造としてもよい。
ガイドバー２の伸縮はガイドバー２の一部に伸縮手段を設けることにより達成できる。このとき伸縮手段はガイドバー２を支持部材４に設置した状態の長さが左右の支持部材４の内側面の間隔より長く、かつ、縮んだ状態での長さが左右の支持部材４の内側面の間隔より短くなる構造とする。伸縮手段とは少なくともガイドバー２の片端部側にバネにより伸縮する部材を設けてもよいし、ネジ構造を利用して伸縮する部材を設けてもよい。支持部材４には、ガイドバー２を支持するための孔または溝を設ける。また、ガイドバー２には第一の実施例または第二の実施例の版保護部材３を設ける。
【００５２】
ガイドバー２は、伸縮手段により、当該長さを調整できるので、伸縮手段がバネ構造の場合には、オペレーターが支持部材４に伸縮手段のあるガイドバー２の端部側を押し付けて短縮させ、他方の端部側を反対側の支持部材４へ取り付ける。外す場合には逆の動作を行う。
【００５３】
伸縮手段がネジ構造の場合は、オペレーターはガイドバー２を短縮させる方向にネジ部を回すことによりガイドバー２を短縮させて片端部側を支持部材４へはめ込む。つぎに他方の端部側を反対側の支持部材４に向け延伸する方向にネジ部を回し戻すことによりガイドバー２を所定の長さにして取り付ける。外す場合には逆の動作を行う。このような動作を行うことによりオペレーターはガイドバー２の着脱を容易に行うことができる。
【００５４】
ガイドバー２に伸縮手段を設けることにより、一時的にガイドバー２の長さを短縮して支持部材４から着脱することができるので、版保護部材３の清掃や交換ができ、また、ガイドバー２を支持部材４の所定位置に取り付けるので、ガイドバー２の軸がずれることもほとんどない。
【００５５】
第五の実施例を図１０に示す。版保護ローラー７は、版保護部材を取り付けた回転体３ｄ、ブラケット部材８ａ、本体部材８ｂ、ヒンジ構造８ｃ、開閉部材８ｄ、締結部材８ｅから構成される。版保護部材を取り付けた回転体３ｄは版保護部材を周面に備え、回転軸の両側をブラケット部材８ａで軸支されている。ブラケット部材８ａは本体部材８ｂに固着される。本体部材８ｂはヒンジ構造８ｃを介して開閉部材８ｄを有する。さらに開閉部材８ｄを本体部材８ｂに固定するための締結部材８ｅが備えられている。
【００５６】
この構造により、版保護ローラー７は、開閉部材８ｄを開いてガイドバー２をくわえるように当て、つぎに締結部材８ｅにより本体部材８ｂと開閉部材８ｄとを締結することで、ガイドバー２の所定位置へ固定される。なお、版保護ローラー７の着脱機構はこの形式に限定されるものではなくガイドバー２からの着脱が可能な構造であればよい。
【００５７】
版保護ローラー７をガイドバー２へ取り付けることにより、版保護ローラー７がガイドバー２の軸方向に任意に設置できるので、オペレーターは版の大きさや画像形成面の状態にあわせて、設置場所を自由に選択できる。また、版保護部材の施されていない従来のタイプのガイドバー２に新たに版保護部材を設置することもできる。前記版保護部材回転体３ｄが汚れたり老朽化したりした場合についても容易に版保護ローラー７を外して洗浄したり交換したりすることができる。
【図面の簡単な説明】
【００５８】
【図１】本発明の実施例にかかる、オフセット枚葉印刷機の概略構成図である。
【図２】（ａ）本実施例の版ガイドを備えた印刷ユニットの側面概略断面図である。（ｂ）本実施例の版保護部材を備えたガイドバーの全体図である。
【図３】（ａ）本実施例のガイドバー回転機構を備えたガイドバーの概念図である。（ｂ）本実施例の版保護部材回転機構を備えたガイドバーの概念図である。
【図４】本実施例の片持ち支持されたガイドバーを有する版ガイドを備えた印刷ユニットの斜視図である。
【図５】本実施例の旋回するガイドバーを有する版ガイドを備えた印刷ユニットの斜視図である。
【図６】本実施例の左右一対で片持ち支持されたガイドバーを有する版ガイドを備えた印刷ユニットの斜視図である。
【図７】本実施例の左右一対で片持ち旋回支持機構により支持されたガイドバーを有する版ガイドを備えた印刷ユニットの斜視図である。
【図８】本実施例のガイドバーの支持部材が開放する開放機構を備えた印刷ユニットの斜視図である。
【図９】本実施例の支持部材に設けられたガイドバー着脱機構を示す概念図である。
【図１０】本実施例のガイドバーから着脱自在な構造の版保護部材の概念図である。
【符号の説明】
【００５９】
１  印刷ユニット
２  ガイドバー
２ａ  横ずれ防止ストッパー
３  版保護部材
３ａ  押えローラーの版保護部材
３ｂ  版保護部材回転機構
３ｃ  版保護部材キャップ
３ｄ  版保護部材を取り付けた回転体
４  支持部材
４ａ  ガイドバー回転機構
４ｂ  ガイドバー着脱機構
４ｃ  開放機構
４ｄ  旋回支持機構
４ｅ  支持部材
４ｆ  支持部材
５  版挿入口
６  版
７  版保護ローラー
８ａ  ブラケット部材
８ｂ  本体部材
８ｃ  ヒンジ構造
８ｄ  開閉部材
８ｅ  締結部材
９  版胴
１０  押えローラー
１０ａ  アーム
Ｐ  版の挿入方向
Ｑ  版胴の版装着時の回転方向
【図１】
2009166431.tif 000003
【図２】
2009166431.tif 000004
【図３】
2009166431.tif 000005
【図４】
2009166431.tif 000006
【図５】
2009166431.tif 000007
【図６】
2009166431.tif 000008
【図７】
2009166431.tif 000009
【図８】
2009166431.tif 000010
【図９】
2009166431.tif 000011
【図１０】
2009166431.tif 000012